(57)【要約】      （修正有）【課題】基板の両側に実装されたコネクタ同士の端子が干渉することがなく、基板の面積が小さく、占有スペースを小さくすることができ、信頼性を高めるコネクタアセンブリを提供する。【解決手段】スルーホール９２ａに挿入される第１テール部１５２を有する複数の第１端子を含む第１コネクタ１０１と、基板９１の他方の表面９５ｂに、第１コネクタ１０１と対向して実装される第２コネクタ２０１であって、先端近傍部分が第１テール部１５２の挿入されるスルーホール９２ａと異なる位置のスルーホール９２ｂに挿入される第２テール部２５２を有する複数の第２端子を含む第２コネクタ２０１と、基板の他方の表面９５ｂと第２コネクタ２０１との間に取付けられて、基板の他方の表面９５ｂに向けて開口する凹部８６を含むスペーサ８１と、を備える。第１テール部１５２の先端部は、基板９１の他方の表面９５ｂから突出して凹部内に収容される。【選択図】図５
2020013880.tif 000002
【特許請求の範囲】
【請求項１】
（ａ）複数のスルーホールが形成された基板と、
（ｂ）該基板の一方の表面に実装される第１コネクタであって、前記スルーホールに挿入される第１テール部を有する複数の第１端子を含む第１コネクタと、
（ｃ）前記基板の他方の表面に、前記第１コネクタと対向して実装される第２コネクタであって、先端近傍部分が前記第１テール部の挿入されるスルーホールと異なる位置のスルーホールに挿入される第２テール部を有する複数の第２端子を含む第２コネクタと、
（ｄ）前記基板の他方の表面と前記第２コネクタとの間に取付けられたスペーサであって、前記基板の他方の表面に向けて開口する凹部を含むスペーサと、を備え、
（ｅ）前記第１テール部の先端部は、前記基板の他方の表面から突出して前記凹部内に収容されることを特徴とするコネクタアセンブリ。
【請求項２】
前記スペーサが、前記第２コネクタから前記基板の他方の表面にかけて通過する通過孔を含み、前記第２テール部の先端近傍部分が、前記通過孔を通過して前記スルーホールに挿入される請求項１に記載のコネクタアセンブリ。
【請求項３】
前記第１テール部は、側面視において直線状の形状を有し、前記第２テール部は、側面視において略クランク状の形状を有する請求項１又は２に記載のコネクタアセンブリ。
【請求項４】
前記第１テール部は、前記基板の幅方向に延在する複数の列を形成するように並んで配列され、前記第２テール部の先端近傍部分は、前記第１テール部の列の外側において、前記基板の幅方向に延在する複数の列を形成するように並んで配列される請求項１〜３のいずれか１項に記載のコネクタアセンブリ。
【請求項５】
前記第２コネクタは、側面視において直線状の形状を有する第２テール部を有する複数の第２端子を更に含み、前記第１コネクタは、前記スルーホールに挿入される先端近傍部分が前記側面視において直線状の形状を有する第２テール部の外側に位置するようにオフセットされた第１テール部を有する複数の第１端子を更に含む請求項１に記載のコネクタアセンブリ。
【請求項６】
前記基板の一方の表面に取付けられた第２スペーサであって、前記基板の一方の表面に向けて開口する凹部と、該凹部の外側に形成された通過孔とを含む第２スペーサを更に備え、
前記側面視において直線状の形状を有する第２テール部の先端部は、前記基板の一方の表面から突出して前記凹部内に収容され、
前記第１テール部の先端近傍部分は、前記通過孔を通過して前記スルーホールに挿入される請求項５に記載のコネクタアセンブリ。
【発明の詳細な説明】
【技術分野】
【０００１】
本開示は、コネクタアセンブリに関するものである。
【背景技術】
【０００２】
従来、自動車等の輸送機器、工作機械等の産業機器等の分野においては、給電線、信号線等の電線を、途中で分岐したり中継したりして、複数の電装装置に接続するために、複数のコネクタを組合せたコネクタアセンブリを備えるジャンクションボックスが使用されている（例えば、特許文献１参照。）。
【０００３】
図２１は従来のジャンクションボックス内のコネクタの配置を示す図である。なお、図において、（ａ）は斜視図、（ｂ）は側面図である。
【０００４】
図において、８９１は回路基板であり、該回路基板８９１の一方の面には、複数の電源用コネクタ８０１が実装されている。８５１は、電源用コネクタ８０１の端子であり、その先端は回路基板８９１に形成されたスルーホールに挿入されてはんだ付けされ、回路基板８９１に形成された導電トレースと電気的に接続されている。
【０００５】
また、前記回路基板８９１の他方の面には、複数の信号用コネクタ９０１が実装されている。９５１は、信号用コネクタ９０１の端子であり、その先端は回路基板８９１に形成されたスルーホールに挿入されてはんだ付けされ、回路基板８９１に形成された導電トレースと電気的に接続されている。なお、前記回路基板８９１には、半導体リレー等の部品９９１を必要に応じて実装することができる。
【０００６】
そして、前記電源用コネクタ８０１及び信号用コネクタ９０１には、給電線、信号線等を含むケーブルの先端に接続された図示されないケーブルコネクタが嵌合される。
【先行技術文献】
【特許文献】
【０００７】
【特許文献１】特開２００７−１０９９９４号公報
【発明の概要】
【発明が解決しようとする課題】
【０００８】
しかしながら、前記従来のコネクタアセンブリにおいては、多数の電源用コネクタ８０１及び信号用コネクタ９０１を実装する場合、広い面積の回路基板８９１が必要となるので、占有スペースが大きくなってしまう。
【０００９】
ここでは、前記従来の問題点を解決して、基板の両側に実装されたコネクタ同士の端子が干渉することがなく、基板の面積が小さく、占有スペースを小さくすることができ、信頼性の高いコネクタアセンブリを提供することを目的とする。
【課題を解決するための手段】
【００１０】
そのために、コネクタアセンブリにおいては、複数のスルーホールが形成された基板と、該基板の一方の表面に実装される第１コネクタであって、前記スルーホールに挿入される第１テール部を有する複数の第１端子を含む第１コネクタと、前記基板の他方の表面に、前記第１コネクタと対向して実装される第２コネクタであって、先端近傍部分が前記第１テール部の挿入されるスルーホールと異なる位置のスルーホールに挿入される第２テール部を有する複数の第２端子を含む第２コネクタと、前記基板の他方の表面と前記第２コネクタとの間に取付けられたスペーサであって、前記基板の他方の表面に向けて開口する凹部を含むスペーサと、を備え、前記第１テール部の先端部は、前記基板の他方の表面から突出して前記凹部内に収容される。
【００１１】
他のコネクタアセンブリにおいては、さらに、前記スペーサが、前記第２コネクタから前記基板の他方の表面にかけて通過する通過孔を含み、前記第２テール部の先端近傍部分が、前記通過孔を通過して前記スルーホールに挿入される。
【００１２】
更に他のコネクタアセンブリにおいては、さらに、前記第１テール部は、側面視において直線状の形状を有し、前記第２テール部は、側面視において略クランク状の形状を有する。
【００１３】
更に他のコネクタアセンブリにおいては、さらに、前記第１テール部は、前記基板の幅方向に延在する複数の列を形成するように並んで配列され、前記第２テール部の先端近傍部分は、前記第１テール部の列の外側において、前記基板の幅方向に延在する複数の列を形成するように並んで配列される。
【００１４】
更に他のコネクタアセンブリにおいては、さらに、前記第２コネクタは、側面視において直線状の形状を有する第２テール部を有する複数の第２端子を更に含み、前記第１コネクタは、前記スルーホールに挿入される先端近傍部分が前記側面視において直線状の形状を有する第２テール部の外側に位置するようにオフセットされた第１テール部を有する複数の第１端子を更に含む。
【００１５】
更に他のコネクタアセンブリにおいては、さらに、前記基板の一方の表面に取付けられた第２スペーサであって、前記基板の一方の表面に向けて開口する凹部と、該凹部の外側に形成された通過孔とを含む第２スペーサを更に備え、前記側面視において直線状の形状を有する第２テール部の先端部は、前記基板の一方の表面から突出して前記凹部内に収容され、前記第１テール部の先端近傍部分は、前記通過孔を通過して前記スルーホールに挿入される。
【発明の効果】
【００１６】
本開示によれば、基板の両側に実装されたコネクタ同士の端子が干渉することがなく、基板の面積が小さく、占有スペースを小さくすることができ、信頼性の高いコネクタアセンブリを提供することができる。
【図面の簡単な説明】
【００１７】
【図１】第１の実施の形態におけるジャンクションボックスの斜視図である。
【図２】第１の実施の形態におけるコネクタアセンブリの斜視図である。
【図３】第１の実施の形態におけるコネクタアセンブリの四面図であって、（ａ）は正面図、（ｂ）は側面図、（ｃ）は下面図、（ｄ）は背面図である。
【図４】第１の実施の形態におけるコネクタアセンブリの断面図であって図３（ａ）におけるＡ−Ａ矢視断面図である。
【図５】第１の実施の形態におけるコネクタアセンブリの第１の分解図である。
【図６】第１の実施の形態におけるコネクタアセンブリの第２の分解図である。
【図７】第１の実施の形態における第１スペーサの五面図であって、（ａ）は正面図、（ｂ）は側面図、（ｃ）は下面図、（ｄ）は背面図、（ｅ）は（ａ）におけるＢ−Ｂ矢視断面図である。
【図８】第２の実施の形態におけるコネクタアセンブリの斜視図である。
【図９】第２の実施の形態におけるコネクタアセンブリの四面図であって、（ａ）は正面図、（ｂ）は側面図、（ｃ）は下面図、（ｄ）は背面図である。
【図１０】第２の実施の形態におけるコネクタアセンブリの断面図であって図９（ａ）におけるＣ−Ｃ矢視断面図である。
【図１１】第２の実施の形態におけるコネクタアセンブリの分解図である。
【図１２】第２の実施の形態における第１スペーサの五面図であって、（ａ）は正面図、（ｂ）は側面図、（ｃ）は下面図、（ｄ）は背面図、（ｅ）は（ａ）におけるＤ−Ｄ矢視断面図である。
【図１３】第３の実施の形態におけるコネクタアセンブリの斜視図である。
【図１４】第３の実施の形態におけるコネクタアセンブリの四面図であって、（ａ）は正面図、（ｂ）は側面図、（ｃ）は下面図、（ｄ）は背面図である。
【図１５】第３の実施の形態におけるコネクタアセンブリの断面図であって図１４（ａ）におけるＥ−Ｅ矢視断面図である。
【図１６】第３の実施の形態におけるコネクタアセンブリの分解図である。
【図１７】第４の実施の形態におけるコネクタアセンブリの斜視図である。
【図１８】第４の実施の形態におけるコネクタアセンブリの四面図であって、（ａ）は正面図、（ｂ）は側面図、（ｃ）は下面図、（ｄ）は背面図である。
【図１９】第４の実施の形態におけるコネクタアセンブリの断面図であって図１８（ａ）におけるＦ−Ｆ矢視断面図である。
【図２０】第４の実施の形態におけるコネクタアセンブリの分解図である。
【図２１】従来のジャンクションボックス内のコネクタの配置を示す図であって、（ａ）は斜視図、（ｂ）は側面図である。
【発明を実施するための形態】
【００１８】
以下、実施の形態について図面を参照しながら詳細に説明する。
【００１９】
図１は第１の実施の形態におけるジャンクションボックスの斜視図、図２は第１の実施の形態におけるコネクタアセンブリの斜視図、図３は第１の実施の形態におけるコネクタアセンブリの四面図、図４は第１の実施の形態におけるコネクタアセンブリの断面図であって図３（ａ）におけるＡ−Ａ矢視断面図、図５は第１の実施の形態におけるコネクタアセンブリの第１の分解図、図６は第１の実施の形態におけるコネクタアセンブリの第２の分解図、図７は第１の実施の形態における第１スペーサの五面図である。なお、図３において、（ａ）は正面図、（ｂ）は側面図、（ｃ）は下面図、（ｄ）は背面図であり、図７において、（ａ）は正面図、（ｂ）は側面図、（ｃ）は下面図、（ｄ）は背面図、（ｅ）は（ａ）におけるＢ−Ｂ矢視断面図である。
【００２０】
図において、１は本実施の形態におけるジャンクションボックスであり、例えば、自動車等の輸送機器、工作機械等の産業機器等の分野において、給電線、信号線等の各種電線を、途中で分岐したり中継したりして、複数の電装装置に接続するために使用される。前記ジャンクションボックス１は、複数のコネクタを組合せたコネクタアセンブリ２を備えるとともに、該コネクタアセンブリ２の周囲のほぼ全体を覆うボックスハウジング１１を備える。前記コネクタアセンブリ２に含まれるコネクタは、いかなる種類のコネクタであってもよく、また、その数はいくつであってもよいが、ここでは、給電線、信号線等を含むケーブルの先端に接続された図示されないケーブルコネクタが嵌合される、いわゆる、Ｉ／Ｏコネクタであって、第１コネクタ１０１、第２コネクタ２０１及び第３コネクタ３０１の３つである場合について説明する。
【００２１】
なお、本実施の形態において、ジャンクションボックス１、コネクタアセンブリ２及びその他の部材に含まれる各部の構成及び動作を説明するために使用される上、下、左、右、前、後等の方向を示す表現は、絶対的なものでなく相対的なものであり、ジャンクションボックス１、コネクタアセンブリ２及びその他の部材に含まれる各部が図に示される姿勢である場合に適切であるが、ジャンクションボックス１、コネクタアセンブリ２及びその他の部材に含まれる各部の姿勢が変化した場合には、姿勢の変化に応じて変更して解釈されるべきものである。
【００２２】
前記ボックスハウジング１１は、合成樹脂等の絶縁性材料から成り、図１に示されるように、内部に第１コネクタ１０１、第２コネクタ２０１及び第３コネクタ３０１を収容するとともに、少なくとも、第１コネクタ１０１、第２コネクタ２０１及び第３コネクタ３０１における前記ケーブルコネクタと嵌合するための嵌合側端部が露出可能な開口部としての第１開口部１３ａ、第２開口部１３ｂ及び第３開口部１３ｃを有する。また、前記ボックスハウジング１１は、第１半部１１ａと、該第１半部１１ａに組合せ可能な第２半部１１ｂとを有し、前記第１半部１１ａと第２半部１１ｂとは、係合枠部１２ａと係合突起１２ｂとが互いに係合することによって結合される。
【００２３】
前記コネクタアセンブリ２は、さらに、１枚の基板９１と、該基板９１の表面に取付けられるスペーサである第１スペーサ８１とを含んでいる。
【００２４】
前記基板９１は、図示されない複数の導電性の配線を備える多層プリント回路基板等のプリント回路基板であって、その第１表面９５ａには第１コネクタ１０１が実装され、前記第１表面９５ａの反対側の表面である第２表面９５ｂには、第１スペーサ８１を介して、前記第２コネクタ２０１及び第３コネクタ３０１が実装されている。なお、前記第２コネクタ２０１は、基板９１を挟んで、第１コネクタ１０１と対向する位置において、第２表面９５ｂに実装されている。また、前記基板９１には、第１コネクタ１０１が備える第１端子１５１の第１テール部１５２が挿入される第１スルーホール９２ａ、第２コネクタ２０１が備える第２端子２５１の第２テール部２５２が挿入される第２スルーホール９２ｂ、及び、第３コネクタ３０１が備える第３端子３５１の第３テール部３５２が挿入される第３スルーホール９２ｃが複数個ずつ形成されている。なお、図に示される例において、比較的径の大きな第１スルーホール９２ａには、第１コネクタ１０１が備える第１シェル１７１の第１脚部１７６が挿入され、比較的径の大きな第３スルーホール９２ｃには、第３コネクタ３０１が備える第３シェル３７１の第３脚部３７６が挿入される。さらに、前記基板９１には、第１スペーサ８１の接続突起８４が挿入される一対の接続用孔９４が形成されている。
【００２５】
なお、前記第１表面９５ａ及び第２表面９５ｂを統合的に説明する場合には表面９５として説明し、前記第１スルーホール９２ａ、第２スルーホール９２ｂ及び第３スルーホール９２ｃを統合的に説明する場合には、スルーホール９２として説明する。図に示される例においては、第２コネクタ２０１が備える第２シェル２７１が脚部を有していないので、比較的径の大きな第２スルーホール９２ｂは、基板９１に形成されていないが、必要に応じて、形成することもできる。また、スルーホール９２の内周面には、一般的なプリント回路基板のスルーホールと同様に、導電性の金属被膜が形成され、必要に応じて、対応する配線と導通されている。
【００２６】
前記第１スペーサ８１は、合成樹脂等の絶縁性材料から成り、概略矩形の板状の外形を有する部材であり、第２コネクタ２０１に対応する主部分８１Ａと、第３コネクタ３０１に対応する副部分８１Ｂとを含んでいる。本実施の形態における第１スペーサ８１では、第２コネクタ２０１及び第３コネクタ３０１側（Ｘ軸正方向）の表面であるコネクタ側表面８５ａは、平坦な平面となっており、基板９１側（Ｘ軸負方向）の表面である基板側表面８５ｂには、該基板側表面８５ｂからＸ軸正方向に向けて凹入するとともに前記基板９１の第２表面９５ｂに向けて開口する凹部８６と、前記基板側表面８５ｂからＸ軸負方向に向けて突出する一対の接続突起８４が形成されている。また、前記第１スペーサ８１には、第２コネクタ２０１が備える第２端子２５１の第２テール部２５２が通過する第２通過孔８２ａ、及び、第３コネクタ３０１が備える第３端子３５１の第３テール部３５２が通過する第３通過孔８２ｂが複数個ずつ、コネクタ側表面８５ａから基板側表面８５ｂまで貫通するように形成されている。なお、図に示される例において、比較的径の大きな第３通過孔８２ｂは、第３コネクタ３０１が備える第３シェル３７１の第３脚部３７６が通過する。さらに、前記主部分８１Ａには、第２コネクタ２０１が備える第２ハウジング２１１の脚部２１２が収容されるハウジング収容凹部８７が、幅方向（Ｙ軸方向）両側から中央に向けて凹入するように形成されている。
【００２７】
なお、前記第２通過孔８２ａ及び第３通過孔８２ｂを統合的に説明する場合には、通過孔８２として説明する。図に示される例においては、第２コネクタ２０１が備える第２シェル２７１が脚部を有していないので、比較的径の大きな第２通過孔８２ａは、前記第１スペーサ８１に形成されていないが、必要に応じて、形成することもできる。
【００２８】
そして、前記基板９１の第２表面９５ｂに基板側表面８５ｂが対向するような姿勢で、前記第１スペーサ８１は基板９１に取付けられる。この場合、接続突起８４が接続用孔９４に挿入され、第２通過孔８２ａ及び第３通過孔８２ｂが対応する第２スルーホール９２ｂ及び第３スルーホール９２ｃと位置合せされる。なお、前記基板９１と第１スペーサ８１とは、接着剤によって固着されてもよいし、図示されないボルト及びナットによって固着されてもよいし、いかなる固着手段によって固着されてもよい。
【００２９】
前記第１コネクタ１０１は、合成樹脂等の絶縁性材料から成るハウジングとしての第１ハウジング１１１と、導電性の金属から成り、前記第１ハウジング１１１に装填される端子としての複数の第１端子１５１と、導電性の金属から成り、前記第１ハウジング１１１の周囲のほぼ全体を覆う第１シェル１７１とを有する。
【００３０】
前記第１端子１５１は、第１ハウジング１１１に保持される第１本体部１５３と、該第１本体部１５３の一端に接続された第１テール部１５２と、前記第１本体部１５３の他端に接続された第１接触部１５４とを含んでいる。前記第１テール部１５２は、いわゆる、ディップタイプ又はピン挿入形と称されるタイプのものであり、少なくともその一部が第１ハウジング１１１の実装側面１１１ａから基板９１に向って突出する部分であり、該基板９１の第１スルーホール９２ａに圧入される圧入部１５７と、前記基板９１の第２表面９５ｂから突出する先端部１５８とを含んでいる。そして、前記第１テール部１５２は、はんだ付によって第１スルーホール９２ａに電気的かつ機械的に接続される。また、前記第１接触部１５４は、第１ハウジング１１１の舌部１１４の表面に配設され、図示されない相手方コネクタとしてのケーブルコネクタが備える相手方端子と電気的に接続可能となる。
【００３１】
そして、前記第１シェル１７１は、第１ハウジング１１１の周囲を覆うように該第１ハウジング１１１に取付けられ、その開口である第１シェル開口１７３内に第１ハウジング１１１の舌部１１４が収容される。前記第１シェル開口１７３は、第１コネクタ１０１の嵌合側端部における嵌合開口１１３として機能し、ボックスハウジング１１の第１開口部１３ａ内に露出し、前記嵌合開口１１３内に相手方コネクタとしてのケーブルコネクタの嵌合部が挿入されて嵌合する。なお、前記第１シェル１７１の実装側端から突出する第１脚部１７６は、基板９１の第１スルーホール９２ａに挿入され、はんだ付によって第１スルーホール９２ａに電気的かつ機械的に接続される。また、第１脚部１７６の先端部１７６ａは、前記基板９１の第２表面９５ｂから突出する。
【００３２】
図に示される例において、前記第１コネクタ１０１は、いわゆる、ライトアングルタイプであって、相手方コネクタとしてのケーブルコネクタが嵌合される方向が基板９１の第１表面９５ａと平行な方向（Ｙ軸方向）となっているが、必ずしもライトアングルタイプである必要はなく、いわゆる、ストレートタイプであって、図示されないケーブルコネクタが嵌合される方向が基板９１の第１表面９５ａと垂直な方向（Ｘ軸方向）となっていてもよい。
【００３３】
前記第２コネクタ２０１は、合成樹脂等の絶縁性材料から成るハウジングとしての第２ハウジング２１１と、導電性の金属から成り、前記第２ハウジング２１１に装填される端子としての複数の第２端子２５１と、導電性の金属から成り、前記第２ハウジング２１１の周囲の大半を覆う第２シェル２７１とを有する。
【００３４】
前記第２端子２５１は、第２ハウジング２１１に保持される第２本体部２５３と、該第２本体部２５３の一端に接続された第２テール部２５２と、前記第２本体部２５３の他端に接続された第２接触部２５４とを含んでいる。前記第２テール部２５２は、いわゆる、ディップタイプ又はピン挿入形と称されるタイプのものであり、第２本体部２５３の一端から基板９１に向って（Ｘ軸負方向）延在する基部２５２ａと、該基部２５２ａの先端に第１湾曲部２５２ｂを介して接続されて基板９１の第２表面９５ｂとほぼ平行（Ｚ軸方向）に、かつ、第２ハウジング２１１の実装側面２１１ａに沿って延在する延長部２５２ｃと、該延長部２５２ｃの先端に第２湾曲部２５２ｄを介して接続されて基板９１に向って延在する先端近傍部分である挿入部２５２ｅとを含んでいる。なお、前記第１湾曲部２５２ｂ及び第２湾曲部２５２ｄは、約９０度湾曲する部分である。これにより、前記第２テール部２５２は、図４に示されるように、側面視において、略クランク状の形状を有する。そして、前記挿入部２５２ｅは、第１スペーサ８１の第２通過孔８２ａを通過し、その先端が基板９１の第２スルーホール９２ｂに挿入され、はんだ付によって第２スルーホール９２ｂに電気的かつ機械的に接続される。また、前記第２接触部２５４は、第２ハウジング２１１の舌部２１４の表面に配設され、図示されない相手方コネクタとしてのケーブルコネクタが備える相手方端子と電気的に接続可能となる。
【００３５】
そして、前記第２シェル２７１は、第２ハウジング２１１の少なくとも嵌合側端部を覆うように該第２ハウジング２１１に取付けられ、その開口である第１シェル開口１７３内に第１ハウジング１１１の舌部１１４が収容される。前記第２シェル開口２７３は、第２コネクタ２０１の嵌合側端部における嵌合開口２１３として機能し、ボックスハウジング１１の第２開口部１３ｂ内に露出し、前記嵌合開口２１３内に相手方コネクタとしてのケーブルコネクタの嵌合部が挿入されて嵌合する。なお、前記第２シェル２７１は脚部を有していない。一方、第２ハウジング２１１の実装側端部には、基板９１の第２表面９５ｂに向けて延在する脚部２１２が形成されている。該脚部２１２は、第１スペーサ８１のハウジング収容凹部８７に収容される。
【００３６】
図に示される例において、前記第２コネクタ２０１は、いわゆる、ストレートタイプであって、相手方コネクタとしてのケーブルコネクタが嵌合される方向が基板９１の第２表面９５ｂと垂直な方向（Ｘ軸方向）となっているが、必ずしもストレートタイプである必要はなく、いわゆる、ライトアングルタイプであって、図示されないケーブルコネクタが嵌合される方向が基板９１の第２表面９５ｂと平行な方向（Ｙ軸方向）となっていてもよい。
【００３７】
前記第３コネクタ３０１は、合成樹脂等の絶縁性材料から成るハウジングとしての第３ハウジング３１１と、導電性の金属から成り、前記第３ハウジング３１１に装填される端子としての複数の第３端子３５１と、導電性の金属から成り、前記第３ハウジング３１１の周囲における嵌合側端部３１４を除くほぼ全体を覆う第３シェル３７１とを有する。
【００３８】
前記第３端子３５１は、第３ハウジング３１１に保持される第３本体部３５３と、該第３本体部３５３の一端に接続された第３テール部３５２と、前記第３本体部３５３の他端に接続された第３接触部３５４とを含んでいる。前記第３テール部３５２は、いわゆる、ディップタイプ又はピン挿入形と称されるタイプのものであり、少なくともその一部が第３ハウジング３１１の実装側面３１１ａから基板９１に向って突出する部分であり、第１スペーサ８１の第３通過孔８２ｂを通過し、その先端が基板９１の第３スルーホール９２ｃに挿入され、はんだ付によって第３スルーホール９２ｃに電気的かつ機械的に接続される。また、前記第３接触部３５４は、第３ハウジング３１１のハウジング開口３１５の内側表面に配設され、図示されない相手方コネクタとしてのケーブルコネクタが備える相手方端子と電気的に接続可能となる。
【００３９】
そして、前記第３シェル３７１は、第３ハウジング３１１の周囲における嵌合側端部３１４を除くほぼ全体を覆うように前記第３ハウジング３１１に取付けられる。前記第３シェル３７１の実装側端から突出する第３脚部３７６は、第１スペーサ８１の第３通過孔８２ｂを通過し、その先端が基板９１の第３スルーホール９２ｃに挿入され、はんだ付によって第３スルーホール９２ｃに電気的かつ機械的に接続される。また、第３ハウジング３１１の嵌合側端部３１４は、第３シェル３７１の嵌合側端部から突出し、第３ハウジング３１１の嵌合側端部３１４が第３コネクタ３０１の嵌合側端部として機能し、ハウジング開口３１５が、第３コネクタ３０１の嵌合開口３１３として機能する。したがって、第３ハウジング３１１の嵌合側端部３１４がボックスハウジング１１の第３開口部１３ｃから外側に突出し、相手方コネクタとしてのケーブルコネクタの嵌合部と嵌合する。
【００４０】
図に示される例において、第３ハウジング３１１の嵌合側端部３１４と第２コネクタ２０１の嵌合側端部とは、互いに相補的な構造となっている。すなわち、第３ハウジング３１１の嵌合側端部３１４は、第２コネクタ２０１の嵌合開口２１３に挿入可能な構造であり、第３ハウジング３１１の嵌合側端部３１４が第２コネクタ２０１の嵌合開口２１３に挿入されると、ハウジング開口３１５の内側表面に配設された第３接触部３５４は、第２ハウジング２１１の舌部２１４の表面に配設された第２接触部２５４と接触して導通する。換言すると、第２コネクタ２０１の嵌合開口２１３内に挿入されて嵌合する相手方コネクタとしてのケーブルコネクタの嵌合部は、嵌合側端部３１４を含む第３コネクタ３０１の嵌合側端部と同様の構造を有し、第３ハウジング３１１の嵌合側端部３１４と嵌合する相手方コネクタとしてのケーブルコネクタの嵌合部は、第２コネクタ２０１の嵌合側端部と同様の構造を有する。なお、第３ハウジング３１１の嵌合側端部３１４と第２コネクタ２０１の嵌合側端部とは、必ずしも互いに相補的な構造である必要はなく、適宜変更することができる。
【００４１】
また、図に示される例において、前記第３コネクタ３０１は、いわゆる、ストレートタイプであって、相手方コネクタとしてのケーブルコネクタが嵌合される方向が基板９１の第２表面９５ｂと垂直な方向となっているが、必ずしもストレートタイプである必要はなく、いわゆる、ライトアングルタイプであって、図示されないケーブルコネクタが嵌合される方向が基板９１の第２表面９５ｂと平行な方向となっていてもよい。
【００４２】
前述のように、基板９１の第１表面９５ａには第１コネクタ１０１が実装されるとともに、第２表面９５ｂには、基板９１を挟んで第１コネクタ１０１と対向する位置に、第２コネクタ２０１が実装されている。すなわち、第１コネクタ１０１及び第２コネクタ２０１のＹ−Ｚ平面における位置は、ほぼ同一である。このように、Ｙ−Ｚ平面における同一箇所に第１コネクタ１０１及び第２コネクタ２０１が実装されているので、基板９１の面積を小さくすることができ、コネクタアセンブリ２の占有スペースを小さくすることができる。
【００４３】
そして、第１端子１５１の第１テール部１５２は、基板９１の幅方向（Ｙ軸方向）に延在する複数（図に示される例では、２本）の列を形成するように複数（図に示される例では、４本）ずつ並んで配列され、また、第２端子２５１の第２テール部２５２も、基板９１の幅方向に延在する複数（図に示される例では、２本）の列を形成するように複数（図に示される例では、４本）ずつ並んで配列されている。そこで、第１テール部１５２との干渉を回避するために、第２テール部２５２は、図４に示されるように、側面視において、略クランク状の形状を有し、その先端近傍部分である挿入部２５２ｅの列が第１テール部１５２の列の外側（Ｚ軸方向に関して外側）に位置するように形成されている。さらに、前記挿入部２５２ｅの列は、第１シェル１７１の第１脚部１７６の列よりも外側に位置するように形成されている。すなわち、第２テール部２５２の挿入部２５２ｅは、第１テール部１５２及び第１脚部１７６の外側に位置するようにオフセットされている。これにより、第２テール部２５２は、第１テール部１５２及び第１脚部１７６と干渉することがない。
【００４４】
したがって、基板９１において、第２テール部２５２の挿入部２５２ｅが挿入される第２スルーホール９２ｂの列も、第１テール部１５２、及び、第１脚部１７６が挿入される第１スルーホール９２ａの列の外側に位置するように形成されている。
【００４５】
なお、第２スルーホール９２ｂから、第１スルーホール９２ａのうちで最も近接するものまでの距離は、いわゆる最小クリアランス（最小絶縁距離、又は、最小沿面距離）以上であることが望ましい。すなわち、図５、６等に示される例においては、列の両端に位置する第２スルーホール９２ｂから比較的径の大きな第１スルーホール９２ａまでの距離が最小クリアランス以上となることが望ましい。前記最小クリアランスは、隣接するスルーホール同士の間で電気的な干渉が発生しない最低距離であって、経験上は、約１〔ｍｍ〕である。
【００４６】
また、図４に示されるように、基板９１の第２表面９５ｂから突出する第１テール部１５２の先端部１５８及び第１脚部１７６の先端部１７６ａが、基板９１に取付けられた第１スペーサ８１の基板側表面８５ｂに形成された凹部８６内に収容されている一方で、第２テール部２５２の延長部２５２ｃは、第１スペーサ８１のコネクタ側表面８５ａに沿って延在し、挿入部２５２ｅは凹部８６の外側に形成された第２通過孔８２ａを通過している。したがって、第１テール部１５２の先端部１５８及び第１脚部１７６の先端部１７６ａは、第２テール部２５２に接触することがない。さらに、第１テール部１５２の先端部１５８及び第１脚部１７６の先端部１７６ａと第２テール部２５２との間には、絶縁部材である第１スペーサ８１が介在しているので、前記第１テール部１５２の先端部１５８及び第１脚部１７６の先端部１７６ａと第２テール部２５２との間の沿面距離を長くすることができ、相互の電気的な干渉を回避することができる。
【００４７】
なお、本実施の形態においては、第１スペーサ８１が、第２コネクタ２０１に対応する主部分８１Ａと、第３コネクタ３０１に対応する副部分８１Ｂとを含んでいる例についてのみ説明したが、不要であれば、前記副部分８１Ｂを省略することもできる。
【００４８】
このように、本実施の形態において、コネクタアセンブリ２は、複数のスルーホール９２が形成された基板９１と、基板９１の第１表面９５ａに実装される第１コネクタ１０１であって、第１スルーホール９２ａに挿入される第１テール部１５２を有する複数の第１端子１５１を含む第１コネクタ１０１と、基板９１の第２表面９５ｂに、第１コネクタ１０１と対向して実装される第２コネクタ２０１であって、挿入部２５２ｅが第１テール部１５２の挿入される第１スルーホール９２ａと異なる位置の第２スルーホール９２ｂに挿入される第２テール部２５２を有する複数の第２端子２５１を含む第２コネクタ２０１と、基板９１の第２表面９５ｂと第２コネクタ２０１との間に取付けられた第１スペーサ８１であって、基板９１の第２表面９５ｂに向けて開口する凹部８６を含む第１スペーサ８１と、を備え、第１テール部１５２の先端部１５８は、基板９１の第２表面９５ｂから突出して凹部８６内に収容される。
【００４９】
これにより、基板９１の両側に実装された第１コネクタ１０１及び第２コネクタ２０１の第１端子１５１及び第２端子２５１が干渉することがなく、基板９１の面積を小さくして占有スペースを小さくすることが可能な信頼性の高いコネクタアセンブリ２を提供することができる。さらに、第１テール部１５２の先端部１５８と第２テール部２５２との間の沿面距離を長くすることができ、相互の電気的な干渉を回避することができる。
【００５０】
また、第１スペーサ８１が、第２コネクタ２０１から基板９１の第２表面９５ｂにかけて通過する第２通過孔８２ａを含み、第２テール部２５２の挿入部２５２ｅが、第２通過孔８２ａを通過して第２スルーホール９２ｂに挿入される。このように、第１テール部１５２の先端部１５８と第２テール部２５２との間には、第１スペーサ８１が介在しているので、相互の電気的な干渉を回避することができる。
【００５１】
さらに、第１テール部１５２は、側面視において直線状の形状を有し、第２テール部２５２は、側面視において略クランク状の形状を有する。さらに、第１テール部１５２は、基板９１の幅方向に延在する２本の列を形成するように並んで配列され、第２テール部２５２の挿入部２５２ｅは、第１テール部１５２の列の外側において、基板９１の幅方向に延在する２本の列を形成するように並んで配列される。
【００５２】
次に、第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５３】
図８は第２の実施の形態におけるコネクタアセンブリの斜視図、図９は第２の実施の形態におけるコネクタアセンブリの四面図、図１０は第２の実施の形態におけるコネクタアセンブリの断面図であって図９（ａ）におけるＣ−Ｃ矢視断面図、図１１は第２の実施の形態におけるコネクタアセンブリの分解図、図１２は第２の実施の形態における第１スペーサの五面図である。なお、図９において、（ａ）は正面図、（ｂ）は側面図、（ｃ）は下面図、（ｄ）は背面図であり、図１２において、（ａ）は正面図、（ｂ）は側面図、（ｃ）は下面図、（ｄ）は背面図、（ｅ）は（ａ）におけるＤ−Ｄ矢視断面図である。
【００５４】
本実施の形態において、第１スペーサ８１は、第３コネクタ３０１に対応する副部分８１Ｂの厚さ（Ｘ軸方向の寸法）が、第２コネクタ２０１に対応する主部分８１Ａの厚さよりも厚くなるように形成されている。すなわち、副部分８１Ｂのコネクタ側表面８５ａ２が、主部分８１Ａのコネクタ側表面８５ａ１よりも、Ｘ軸正方向に位置するように形成されている。なお、基板側表面８５ｂは、主部分８１Ａ及び副部分８１Ｂにおいて、面一である。
【００５５】
これにより、第３コネクタ３０１の嵌合側端３０１ｆは、第２コネクタ２０１の嵌合側端２０１ｆとほぼ面一となっている。すなわち、Ｘ軸方向に関して、第３コネクタ３０１の嵌合側端３０１ｆの位置は、第２コネクタ２０１の嵌合側端２０１ｆの位置とほぼ同一となっている。
【００５６】
なお、コネクタアセンブリ２のその他の点の構成については、前記第１の実施の形態と同様であるので、その説明を省略する。
【００５７】
次に、第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００５８】
図１３は第３の実施の形態におけるコネクタアセンブリの斜視図、図１４は第３の実施の形態におけるコネクタアセンブリの四面図、図１５は第３の実施の形態におけるコネクタアセンブリの断面図であって図１４（ａ）におけるＥ−Ｅ矢視断面図、図１６は第３の実施の形態におけるコネクタアセンブリの分解図である。なお、図１４において、（ａ）は正面図、（ｂ）は側面図、（ｃ）は下面図、（ｄ）は背面図である。
【００５９】
本実施の形態において、第１コネクタ１０１は、いわゆる、ストレートタイプであって、図示されないケーブルコネクタが嵌合される方向が基板９１の第１表面９５ａと垂直な方向（Ｘ軸方向）となっている。そして、前記第１コネクタ１０１の構造は、第１端子１５１の第１テール部１５２がストレート、すなわち、直線的である点を除いて、前記第１の実施の形態における第２コネクタ２０１とほぼ同様である。したがって、第１ハウジング１１１の実装側端部には、基板９１に向けて延在する脚部１１２が形成されている。
【００６０】
また、本実施の形態において、第３コネクタ３０１は、その嵌合側端部の構造が、前記第１の実施の形態における第２コネクタ２０１の嵌合側端部と相補的なものでない。そして、前記第３コネクタ３０１の構造は、第３端子３５１の第３テール部３５２がストレート、すなわち、直線的である点を除いて、前記第１の実施の形態における第２コネクタ２０１とほぼ同様である。したがって、第３ハウジング３１１の実装側端部には、基板９１に向けて延在する脚部３１２が形成されている。
【００６１】
さらに、本実施の形態において、第１スペーサ８１は、第３コネクタ３０１に対応する副部分８１Ｂにも、ハウジング収容凹部８７が、幅方向（Ｙ軸方向）両側から中央に向けて凹入するように形成されている。該ハウジング収容凹部８７には、第３ハウジング３１１の脚部３１２が収容される。
【００６２】
なお、コネクタアセンブリ２のその他の点の構成については、前記第１の実施の形態と同様であるので、その説明を省略する。
【００６３】
次に、第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【００６４】
図１７は第４の実施の形態におけるコネクタアセンブリの斜視図、図１８は第４の実施の形態におけるコネクタアセンブリの四面図、図１９は第４の実施の形態におけるコネクタアセンブリの断面図であって図１８（ａ）におけるＦ−Ｆ矢視断面図、図２０は第４の実施の形態におけるコネクタアセンブリの分解図である。なお、図１８において、（ａ）は正面図、（ｂ）は側面図、（ｃ）は下面図、（ｄ）は背面図である。
【００６５】
本実施の形態において、第１コネクタ１０１が備える第１端子１５１の第１テール部１５２は、基板９１の幅方向（Ｙ軸方向）に延在する複数（図に示される例では、２本）の列を形成するように複数（図に示される例では、４本）ずつ並んで配列され、また、第２コネクタ２０１が備える第２端子２５１の第２テール部２５２も、基板９１の幅方向に延在する複数（図に示される例では、２本）の列を形成するように複数（図に示される例では、４本）ずつ並んで配列されている。そして、第１テール部１５２と第２テール部２５２との干渉を回避するために、第１テール部１５２のうちの一方の列（図に示される例においては、上側の列）に属する第１テール部１５２は、図１９に示されるように、側面視において、略クランク状の形状を有し、挿入部１５２ｅが第２テール部２５２のうちの一方の列（図に示される例においては、上側の列）に属する第２テール部２５２の外側に位置するようにオフセットされ、また、第２テール部２５２のうちの他方の列（図に示される例においては、下側の列）に属する第２テール部２５２は、図１９に示されるように、側面視において、略クランク状の形状を有し、挿入部２５２ｅが第１テール部１５２のうちの他方の列（図に示される例においては、下側の列）に属する第１テール部１５２の外側に位置するようにオフセットされている。
【００６６】
なお、本実施の形態における第２コネクタ２０１は、前記一方の列に属する第２テール部２５２のみが、側面視において、略クランク状でなく、直線状の形状を有し、その先端部２５８が基板９１の第１表面９５ａから突出する点で、前記第１の実施の形態における第２コネクタ２０１と相違し、その他の点の構造は、前記第１の実施の形態における第２コネクタ２０１と同様である。
【００６７】
また、本実施の形態における第１コネクタ１０１は、前記一方の列に属する第１テール部１５２のみが、側面視において、直線状でなく、略クランク状の形状を有し、第１本体部１５３の一端から基板９１に向って（Ｘ軸正方向）延在する基部１５２ａと、該基部１５２ａの先端に第１湾曲部１５２ｂを介して接続されて基板９１の第１表面９５ａとほぼ平行（Ｚ軸方向）に沿って延在する延長部１５２ｃと、該延長部１５２ｃの先端に第２湾曲部１５２ｄを介して接続されて基板９１に向って延在する挿入部１５２ｅとを含んでいる点で、前記第３の実施の形態における第１コネクタ１０１と相違し、その他の点の構造は、前記第３の実施の形態における第１コネクタ１０１と同様である。なお、前記第１湾曲部１５２ｂ及び第２湾曲部１５２ｄは、約９０度湾曲する部分である。
【００６８】
さらに、本実施の形態においては、基板９１の第１表面９５ａにおける第１スペーサ８１の主部分８１Ａと対向する位置に、もう１つのスペーサである第２スペーサ１８１が固着されている。該第２スペーサ１８１は、合成樹脂等の絶縁性材料から成り、概略矩形の板状の外形を有する部材である。図に示されるように、前記第２スペーサ１８１では、第１コネクタ１０１側（Ｘ軸負方向）の表面であるコネクタ側表面１８５ａは、平坦な平面となっており、基板９１側（Ｘ軸正方向）の表面である基板側表面１８５ｂには、該基板側表面１８５ｂからＸ軸負方向に向けて凹入するとともに前記基板９１の第１表面９５ａに向けて開口する凹部１８６と、前記基板側表面１８５ｂからＸ軸正方向に向けて突出する接続突起１８４が形成されている。また、前記第２スペーサ１８１には、第１コネクタ１０１が備える第１端子１５１の略クランク状の第１テール部１５２の挿入部１５２ｅ及び直線状の第１テール部１５２が通過する第１通過孔１８２が形成されている。なお、直線状の第１テール部１５２が通過する第１通過孔１８２は、凹部１８６に対応する位置に形成され、略クランク状の第１テール部１５２の挿入部１５２ｅが通過する第１通過孔１８２は、凹部１８６の外側に形成されている。さらに、前記第２スペーサ１８１には、第１コネクタ１０１が備える第１ハウジング１１１の脚部１１２が収容されるハウジング収容凹部１８７が、幅方向（Ｙ軸方向）両側から中央に向けて凹入するように形成されている。
【００６９】
また、本実施の形態における第１スペーサ８１は、直線状の第２テール部２５２が通過する第２通過孔８２ａが、凹部８６に対応する位置に形成されている点で、前記第３の実施の形態における第１スペーサ８１と相違し、その他の点の構造は、前記第３の実施の形態における第１スペーサ８１と同様である。
【００７０】
図１９に示されるように、第１端子１５１の第１テール部１５２のうちの一方の列に属する略クランク状の第１テール部１５２の挿入部１５２ｅは、第２端子２５１の第２テール部２５２のうちの一方の列に属する直線状の第２テール部２５２の外側に位置するようにオフセットされている。また、第２端子２５１の第２テール部２５２のうちの他方の列に属する略クランク状の第２テール部２５２の挿入部２５２ｅは、第１テール部１５２のうちの他方の列に属する直線状の第１テール部１５２の外側に位置するようにオフセットされている。
【００７１】
そして、略クランク状の第１テール部１５２の挿入部１５２ｅは、凹部１８６の外側に形成された第１通過孔１８２を通過して、基板９１における第２スルーホール９２ｂのうちの一方の列に属する第２スルーホール９２ｂに挿入され、直線状の第１テール部１５２は、凹部１８６に対応する位置に形成された第１通過孔１８２を通過して、基板９１における第１スルーホール９２ａのうちの他方の列に属する第１スルーホール９２ａに挿入され、先端部１５８が、基板９１の第２表面９５ｂから突出し、第１スペーサ８１の基板側表面８５ｂに形成された凹部８６内に収容される。一方、略クランク状の第２テール部２５２の挿入部２５２ｅは、凹部８６の外側に形成された第２通過孔８２ａを通過して、基板９１における第２スルーホール９２ｂのうちの他方の列に属する第２スルーホール９２ｂに挿入され、直線状の第２テール部２５２は、凹部８６に対応する位置に形成された第２通過孔８２ａを通過して、基板９１における第１スルーホール９２ａのうちの一方の列に属する第１スルーホール９２ａに挿入され、先端部２５８が、基板９１の第１表面９５ａから突出し、第２スペーサ１８１の基板側表面１８５ｂに形成された凹部１８６内に収容される。
【００７２】
なお、コネクタアセンブリ２のその他の点の構成については、前記第３の実施の形態と同様であるので、その説明を省略する。
【００７３】
また、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００７４】
本開示は、コネクタアセンブリに適用することができる。
【符号の説明】
【００７５】
１    ジャンクションボックス
２    コネクタアセンブリ
１１    ボックスハウジング
１１ａ    第１半部
１１ｂ    第２半部
１２ａ    係合枠部
１２ｂ    係合突起
１３ａ    第１開口部
１３ｂ    第２開口部
１３ｃ    第３開口部
８１    第１スペーサ
８１Ａ    主部分
８１Ｂ    副部分
８２ａ    第２通過孔
８２ｂ    第３通過孔
８４、１８４    接続突起
８５ａ、８５ａ１、８５ａ２、１８５ａ    コネクタ側表面
８５ｂ、１８５ｂ    基板側表面
８６、１８６    凹部
８７、１８７    ハウジング収容凹部
９１    基板
９２ａ    第１スルーホール
９２ｂ    第２スルーホール
９２ｃ    第３スルーホール
９４    接続用孔
９５ａ    第１表面
９５ｂ    第２表面
１０１    第１コネクタ
１１１    第１ハウジング
１１１ａ、２１１ａ、３１１ａ    実装側面
１１２、２１２、３１２    脚部
１１３、２１３、３１３    嵌合開口
１１４、２１４    舌部
１５１    第１端子
１５２    第１テール部
１５２ａ、２５２ａ    基部
１５２ｂ、２５２ｂ    第１湾曲部
１５２ｃ、２５２ｃ    延長部
１５２ｄ、２５２ｄ    第２湾曲部
１５２ｅ、２５２ｅ    挿入部
１５３    第１本体部
１５４    第１接触部
１５７    圧入部
１５８、１７６ａ、２５８    先端部
１７１    第１シェル
１７３    第１シェル開口
１７６    第１脚部
１８１    第２スペーサ
１８２    第１通過孔
２０１    第２コネクタ
２０１ｆ、３０１ｆ    嵌合側端
２１１    第２ハウジング
２５１    第２端子
２５２    第２テール部
２５３    第２本体部
２５４    第２接触部
２７１    第２シェル
２７３    第２シェル開口
３０１    第３コネクタ
３１１    第３ハウジング
３１４    嵌合側端部
３１５    ハウジング開口
３５１    第３端子
３５２    第３テール部
３５３    第３本体部
３５４    第３接触部
３７１    第３シェル
３７６    第３脚部
８０１    電源用コネクタ
８５１、９５１    端子
８９１    回路基板
９０１    信号用コネクタ
９９１    部品
【図１】
2020013880.tif 000003
【図２】
2020013880.tif 000004
【図３】
2020013880.tif 000005
【図４】
2020013880.tif 000006
【図５】
2020013880.tif 000007
【図６】
2020013880.tif 000008
【図７】
2020013880.tif 000009
【図８】
2020013880.tif 000010
【図９】
2020013880.tif 000011
【図１０】
2020013880.tif 000012
【図１１】
2020013880.tif 000013
【図１２】
2020013880.tif 000014
【図１３】
2020013880.tif 000015
【図１４】
2020013880.tif 000016
【図１５】
2020013880.tif 000017
【図１６】
2020013880.tif 000018
【図１７】
2020013880.tif 000019
【図１８】
2020013880.tif 000020
【図１９】
2020013880.tif 000021
【図２０】
2020013880.tif 000022
【図２１】
2020013880.tif 000023